(57)【要約】  【課題】  ＤＮＡインクの使用量を押さえながら効果的に書類の原本証明を可能にさせる画像記録装置、画像記録システム、送信装置、及びコンピュータプログラムを提供する。  【解決手段】  本発明では、記録した画像の内容の内、偽造を防止すべき重要な部分を指定してＤＮＡを付加する。例えば、見積書の場合、見積もりの金額を記録した部分および有効期限を記録した部分などの偽造を防止すべき斜線で示した領域に不可視のＤＮＡインクを付加する。画像記録装置に送信装置が接続された画像記録システムにて、送信装置は、使用者の操作によりＤＮＡを付加すべき任意の部分の選択を受け付け、選択を受け付けた部分を指定する指定情報を画像記録装置へ送信し、画像記録装置は、指定情報が指定する画像の部分に不可視のＤＮＡインクを付加して、本発明を実現する。【選択図】      図１
2005028820.tif 000002
【特許請求の範囲】
【請求項１】
画像を記録担体に記録する画像記録装置において、
記録した画像の、画像毎に指定された部分に、デオキシリボ核酸を付加する手段を備えることを特徴とする画像記録装置。
【請求項２】
画像を記録担体に記録する画像記録装置において、
画像の任意の部分を指定した指定情報を受け付ける受付手段と、
記録した画像に対して、受け付けた前記指定情報が指定する部分に、デオキシリボ核酸を付加する付加手段と
を備えることを特徴とする画像記録装置。
【請求項３】
前記受付手段は、一枚の記録担体に記録される画像について、該画像の任意の領域を指定した指定情報を受け付けるべくなしてあり、
前記付加手段は、受け付けた前記指定情報が指定する領域に、デオキシリボ核酸を付加すべくなしてあることを特徴とする請求項２に記載の画像記録装置。
【請求項４】
前記受付手段は、複数ページの記録担体に渡って記録される画像について、任意のページを指定した指定情報を受け付けるべくなしてあり、
前記付加手段は、受け付けた前記指定情報が指定するページに、デオキシリボ核酸を付加すべくなしてあることを特徴とする請求項２又は３に記載の画像記録装置。
【請求項５】
画像の記録指示を送信する送信装置と、該送信装置に接続され、前記送信装置から受信した画像の記録指示に従って画像を記録担体に記録する画像記録装置とを備える画像記録システムにおいて、
前記送信装置は、
記録指示を送信すべき画像について、任意の部分の選択を受け付ける手段と、
選択を受け付けた部分を前記画像について指定した指定情報を前記画像記録装置へ送信する手段とを備え、
前記画像記録装置は、記録した前記画像に対して、受信した前記指定情報が指定する部分に、デオキシリボ核酸を付加する手段を備えることを特徴とする画像記録システム。
【請求項６】
画像の記録指示を外部の装置へ送信する送信装置において、
記録指示を送信すべき画像について、デオキシリボ核酸を付加すべき任意の部分の選択を受け付ける手段と、
選択を受け付けた部分を前記画像について指定した指定情報を前記外部の装置へ送信する手段と
を備えることを特徴とする送信装置。
【請求項７】
コンピュータに、画像の記録指示を外部の装置へ送信させるコンピュータプログラムにおいて、
コンピュータに、記録指示を送信すべき画像について、デオキシリボ核酸を付加すべき任意の部分の選択を受け付けさせる手順と、
コンピュータに、選択を受け付けた部分を前記画像について指定した指定情報を前記外部の装置へ送信させる手順と
を含むことを特徴とするコンピュータプログラム。 
【発明の詳細な説明】
【技術分野】
【０００１】
本発明は、認証のためにデオキシリボ核酸（以下、ＤＮＡという）を画像に付加できる画像記録装置、画像記録システム、前記画像記録装置へ情報を送信する送信装置、及び該送信装置を実現するためのコンピュータプログラムに関する。
【背景技術】
【０００２】
画像記録技術の発達に伴って、レーザプリンタ等の画像記録装置を用いて記録された記録物は、モノクロ、カラーを問わず高品質化しているため、各種の有価証券、証明書、公用文書など多くの書類が画像記録装置を用いて作成されている。しかし、同様に複写技術も発達しており、画像記録技術または複写技術を利用することで、書類を偽造することも容易となっている。そこで、偽造を防止するために、数々の原本証明技術が提案されている。
【０００３】
原本証明技術の一つとして、ＤＮＡ認証技術が提案されている。生物の細胞内に存在するＤＮＡ（deoxyribonucleic acid:デオキシリボ核酸）は、デオキシリボヌクレオチドの鎖状重合体であり、アデニン（Ａ）、グアニン（Ｇ）、チミン（Ｔ）、及びシトシン（Ｃ）の４種の塩基成分を持つ。ＤＮＡを構成する４種の塩基のＤＮＡ分子内の１次元的な並び方をＤＮＡの塩基配列という。ＤＮＡ内には、短い塩基配列の繰り返し回数が個体によって異なる領域が存在しており、このような領域を複数箇所定め、各所から得られる繰り返し回数から、ＤＮＡについて一意な数値情報であるＤＮＡ識別子を生成することができる。ＤＮＡ識別子を用いることにより、ＤＮＡが特定され、更には生物の個体を特定することができる。ＤＮＡ識別子を原本証明に利用するために、ＤＮＡ識別子の数値情報を、所定の規則に従ってＡ，Ｇ，Ｔ，Ｃの４種の塩基の配列に変換し、変換した塩基配列を化学的に合成した合成ＤＮＡが用いられる。合成ＤＮＡをインクに混入させたものがＤＮＡインクである。ＤＮＡインクに含まれる合成ＤＮＡを分析することで、ＤＮＡ識別子を知ることができる。ＤＮＡインクを用いて画像を記録された記録物は、記録内容は複写可能であっても、ＤＮＡ識別子を複写することはできないため、偽造が困難である。不可視インクに合成ＤＮＡを混入させたＤＮＡインクが開発されており、作成された書類に特定のＤＮＡ識別子の情報を含む不可視のＤＮＡインクを塗布しておき、書類に正しいＤＮＡ識別子が記録されているか否かを調べることにより、書類の原本証明を行うことができる。特許文献１には、画像を形成するときに画像の記録物にＤＮＡインクを吹き付ける等して、記録物にＤＮＡを付加する画像形成装置が開示されている。この画像形成装置を書類の作成に利用することで、原本証明が可能な書類を作成することができる。
【特許文献１】特開２００２−７２７９５号公報
【発明の開示】
【発明が解決しようとする課題】
【０００４】
原本証明ができるように書類に付加されるＤＮＡインクは、特殊なインクであり、画像記録装置にて記録する記録物に常にＤＮＡインクを付加していた場合は、コストが大きいという問題がある。また、画像記録装置を用いて作成される書類に常にＤＮＡインクを付加していた場合は、ＤＮＡインクを付加された書類が広く出回ることとなり、書類に含まれるＤＮＡを解析されて不正使用される危険性がある。
【０００５】
本発明は、斯かる事情に鑑みてなされたものであって、その目的とするところは、画像の記録物の重要な部分のみにＤＮＡインクを供給することにより、ＤＮＡインクの使用量を押さえながら効果的に書類の原本証明を可能にさせる画像記録装置、画像記録システム、前記画像記録装置へ情報を送信する送信装置、及びコンピュータを該送信装置として実現するためのコンピュータプログラムを提供することにある。
【課題を解決するための手段】
【０００６】
本発明に係る画像記録装置は、画像を記録担体に記録する画像記録装置において、記録した画像の、画像毎に指定された部分に、デオキシリボ核酸を付加する手段を備えることを特徴とする。
【０００７】
本発明に係る画像記録装置は、画像を記録担体に記録する画像記録装置において、画像の任意の部分を指定した指定情報を受け付ける受付手段と、記録した画像に対して、受け付けた前記指定情報が指定する部分に、デオキシリボ核酸を付加する付加手段とを備えることを特徴とする。
【０００８】
本発明に係る画像記録装置は、前記受付手段は、一枚の記録担体に記録される画像について、該画像の任意の領域を指定した指定情報を受け付けるべくなしてあり、前記付加手段は、受け付けた前記指定情報が指定する領域に、デオキシリボ核酸を付加すべくなしてあることを特徴とする。
【０００９】
本発明に係る画像記録装置は、前記受付手段は、複数ページの記録担体に渡って記録される画像について、任意のページを指定した指定情報を受け付けるべくなしてあり、前記付加手段は、受け付けた前記指定情報が指定するページに、デオキシリボ核酸を付加すべくなしてあることを特徴とする。
【００１０】
本発明に係る画像記録システムは、画像の記録指示を送信する送信装置と、該送信装置に接続され、前記送信装置から受信した画像の記録指示に従って画像を記録担体に記録する画像記録装置とを備える画像記録システムにおいて、前記送信装置は、記録指示を送信すべき画像について、任意の部分の選択を受け付ける手段と、選択を受け付けた部分を前記画像について指定した指定情報を前記画像記録装置へ送信する手段とを備え、前記画像記録装置は、記録した前記画像に対して、受信した前記指定情報が指定する部分に、デオキシリボ核酸を付加する手段を備えることを特徴とする。
【００１１】
本発明に係る送信装置は、画像の記録指示を外部の装置へ送信する送信装置において、記録指示を送信すべき画像について、デオキシリボ核酸を付加すべき任意の部分の選択を受け付ける手段と、選択を受け付けた部分を前記画像について指定した指定情報を前記外部の装置へ送信する手段とを備えることを特徴とする。
【００１２】
本発明に係るコンピュータプログラムは、コンピュータに、画像の記録指示を外部の装置へ送信させるコンピュータプログラムにおいて、コンピュータに、記録指示を送信すべき画像について、デオキシリボ核酸を付加すべき任意の部分の選択を受け付けさせる手順と、コンピュータに、選択を受け付けた部分を前記画像について指定した指定情報を前記外部の装置へ送信させる手順とを含むことを特徴とする。
【００１３】
本発明においては、画像記録装置が画像を記録する際に、画像毎に指定された部分にＤＮＡを付加する。これにより、原本証明が可能な画像が作成される。
【００１４】
また、本発明においては、画像記録装置に接続された送信装置から、画像の任意の部分を指定した指定情報を受け付け、又は使用者が画像記録装置を操作することにより指定情報を受け付け、画像記録装置は、受け付けた指定情報が指定する画像の部分にＤＮＡを付加する。
【００１５】
また、本発明においては、一枚の記録担体に記録される画像について、重要な情報が記載されている領域など、指定された領域にＤＮＡを付加する。
【００１６】
更に、本発明においては、複数ページの記録担体に渡って記録される画像について、重要な情報が記載されているページ等、指定されたページにＤＮＡを付加する。
【発明の効果】
【００１７】
本発明においては、画像記録装置が画像を記録する際に、画像の指定された部分にＤＮＡを付加する。これにより、原本証明が可能な画像が作成される。
【００１８】
また、本発明においては、画像記録装置に接続された送信装置から、画像の任意の部分を指定した指定情報を受け付け、又は使用者が画像記録装置を操作することにより指定情報を受け付け、画像記録装置は、受け付けた指定情報が指定する画像の部分にＤＮＡを付加する。これにより、重要な情報が記載された部分の原本証明が可能な書類を作成することができる。また、付加するＤＮＡの使用量が少ないため、コストを削減することができる。更に、画像に付加されたＤＮＡが出回る量または範囲を制限できるため、出回ったＤＮＡを解析されて不正使用される危険性を小さくすることができる。
【００１９】
また、本発明においては、一枚の記録担体に記録される画像について、重要な情報が記載されている領域など、指定された領域にＤＮＡを付加する。これにより、重要な情報が記載された領域の原本証明が可能な書類を作成することができる。また、コストを削減し、出回ったＤＮＡを解析されて不正使用される危険性を小さくすることができる。
【００２０】
更に、本発明においては、複数ページの記録担体に渡って記録される画像について、重要な情報が記載されているページ等、指定されたページにＤＮＡを付加する。これにより、重要な情報が記載されたページの原本証明が可能な書類を作成することができる。また、コストを削減し、出回ったＤＮＡを解析されて不正使用される危険性を小さくすることができる等、本発明は優れた効果を奏する。
【発明を実施するための最良の形態】
【００２１】
以下本発明をその実施の形態を示す図面に基づき具体的に説明する。
【００２２】
本発明では、記録した画像に対して、画像毎に指定された部分にＤＮＡを付加し、画像の内容の原本証明を行うことを可能にする。図１は、本発明の結果の例を示す概念図である。図１（ａ）には、原本証明をすべき書類として見積書の例を示した。本発明では、記録した画像の内容の内、偽造を防止すべき重要な部分を指定し、指定した部分にＤＮＡを付加する。例えば、見積書の場合、偽造を防止すべき見積もりの金額を記録した部分、及び有効期限を記録した部分を指定し、図１（ｂ）に示した斜線領域の如くに不可視のＤＮＡインクを塗布する。これにより、重要書類の重要部分の原本証明が可能となる。
【００２３】
図２は、本発明の画像記録装置の縦断面図である。本発明の画像記録装置１は、外部から画像出力の指示を受け付け、受け付けた指示に従って記録担体である記録用紙に画像を記録して出力するプリンタ装置である。画像記録装置１は、感光体ドラム１８１、感光体ドラム１８１を帯電する帯電体１８２、帯電された感光体ドラム１８１上に潜像を書き込むレーザ光走査ユニット１８３、感光体ドラム１８１上の潜像を現像する現像ユニット１８４、現像された像を記録用紙上に転写する転写ユニット１８５、記録用紙上に転写された像を定着させる定着ユニット１８６、及び感光体ドラム１８１上に残留した現像剤を除去するクリーニングユニット１８７から構成される画像形成部を内部に備えている。画像記録装置１は、画像形成部の下方に、複数種類の記録用紙を別々に収容する複数の給紙トレイ２１，２１，…を備えている。給紙トレイ２１，２１，…は、記録用紙を種類の違いで分類して収納しており、必要に応じて収納している記録用紙を順次送り出すことができる構成となっている。給紙トレイ２１，２１，…の夫々から、感光体ドラム１８１と転写ユニット１８５との間及び定着ユニット１８６を通って外部へ繋がる経路は、記録用紙が搬送される搬送経路である。画像記録装置１は、また、定着ユニット１８６から外部へ繋がる搬送経路の途中に、本発明に係る付加手段であるＤＮＡインクヘッド２２を備えている。ＤＮＡインクヘッド２２は、不可視のＤＮＡインクを内部に有し、インクジェットプリンタ装置のインクヘッドと同様の構成である。ＤＮＡインクヘッド２２は、記録用紙に画像が記録され、搬送経路を搬送される画像の記録物に対して、略垂直な方向に走査し、不可視のＤＮＡインクを記録物に吐出することで、画像にＤＮＡを付加する構成となっている。
【００２４】
図３は、本発明の画像記録システム、及び画像記録装置１の機能構成を示す機能ブロック図である。画像記録装置１は、演算を行うＣＰＵ及び演算に伴う一時的な情報を記憶するＲＡＭ等からなる制御部１１を備えている。制御部１１には、画像記録装置１の制御を行うための制御プログラムを記憶しているＲＯＭ１５が接続されており、制御部１１は、ＲＯＭ１５が記憶している制御プログラムに従って、画像記録装置１全体の制御を行う。また、制御部１１には、画像記録装置１が行う処理を管理するための管理情報を記憶するメモリである管理部１４が接続されており、制御部１１は、管理部１４が記憶している管理情報を参照し、参照した情報に基づいて画像記録装置１の制御を行う。また、制御部１１には、記録用紙に記録された画像を走査して読み取り、読みとった画像に基づいた電子的な画像データを生成する画像読み取り部１７と、画像データから画像を形成して記録用紙に記録する画像形成部１８とが接続されている。画像記録装置１は、画像読み取り部１７にて読みとった画像を複写する複写装置として機能する。また、制御部１１には、ハードディスク又は不揮発性のメモリからなる記憶部１６が接続されており、記憶部１６は、画像データを記憶する。また、制御部１１には、使用者からの操作を受け付ける操作部１２が接続されており、操作部１２は、操作のために必要な情報を表示する液晶パネル等の表示手段と、使用者の操作により制御命令などの情報が入力されるタッチパネル又はテンキー等の入力手段とからなっている。また、制御部１１にはＤＮＡインクヘッド２２が接続されており、制御部１１は、ＤＮＡインクヘッド２２による記録用紙の走査および記録用紙へのＤＮＡインクの吐出を制御する。
【００２５】
更に、制御部１１には、ＬＡＮ等の外部の通信ネットワークＮ１に接続された通信部１３が接続されており、通信部１３は、通信ネットワークＮ１を介して、外部との間で情報を交換する。通信ネットワークＮ１には、本発明の送信装置である複数のパーソナルコンピュータ（ＰＣ）３，３，…が接続されている。通信部１３は、ＰＣ３から送信された画像データを通信ネットワークＮ１を介して受信し、画像形成部１８は、通信部１３が受信した画像データから画像を形成して出力して、画像記録装置１は、ネットワークプリンタ装置として機能する。また、通信部１３は、本発明の送信装置であるＰＣ３から、通信ネットワークＮ１を介して本発明に係る指定情報を受信し、本発明に係る受付手段として機能する。また、画像記録装置１は、画像読み取り部１７が画像を読みとって生成した画像データを通信部１３から通信ネットワークＮ１を介してＰＣ３へ送信することができ、ネットワークスキャナとして機能する。また、通信部１３は、ファクシミリ通信を行うことが可能である。通信部１３は、通信ネットワークＮ１に接続された公衆回線網Ｎ２を介して、画像読み取り部１７が画像を読みとって生成した画像データを、公衆回線網Ｎ２に接続された他のファクシミリ装置４へファクシミリ通信にて送信することができる。また、通信部１３は、ファクシミリ装置４からファクシミリ通信にて送信された画像データを、公衆回線網Ｎ２を介して受信し、画像形成部１８は通信部１３が受信した画像データから画像を形成して出力することができる。このようにして、画像記録装置１は、ファクシミリ装置として機能することも可能である。
【００２６】
図４は、本発明の送信装置であるＰＣ３の機能構成を示す機能ブロック図である。ＰＣ３は、演算を行うＣＰＵ３１と、演算に伴って発生する一時的な情報を記憶するＲＡＭ３２と、ＣＤ−ＲＯＭドライブ等の外部記憶装置３３と、ハードディスク等の内部記憶装置３４とを備えている。ＣＰＵ３１は、ＣＤ−ＲＯＭ等の記録媒体５から本発明のコンピュータプログラム５０を外部記憶装置３３にて読み取り、読み取ったコンピュータプログラム５０を内部記憶装置３４に記憶し、ＲＡＭ３２にコンピュータプログラム５０をロードし、ロードしたコンピュータプログラム５０に基づいてＰＣ３に必要な処理を実行する。ＰＣ３は、キーボード又はマウス等の入力部３５と、液晶ディスプレイ又はＣＲＴディスプレイ等の出力部３６とを備えており、データの入力を初めとするオペレータからの操作を受け付ける構成となっている。また、ＰＣ３は、通信ネットワークＮ１に接続された通信部３７を備えており、ＣＰＵ３１は、通信部３７にて通信ネットワークＮ１を介して画像記録装置１との間で情報を交換する。
【００２７】
次に、フローチャートを用いて本発明の処理の手順を説明する。図５及び図６は、本発明の画像記録システムが行う処理の手順を示すフローチャートである。ＰＣ３は、ワードプロセッサ等の機能を用いて、書類などのデータを作成する。ＰＣ３は、作成したデータを画像として画像記録装置１にて出力すべく、使用者に操作された入力部３５から、作成したデータの印刷指示を受け付け（Ｓ１）、ＣＰＵ３１は、本発明のコンピュータプログラム５０をＲＡＭ３２にロードし、ロードしたコンピュータプログラム５０に従って、画像の中のＤＮＡを付加する部分を選択するための選択画面を出力部３６に出力する（Ｓ２）。
【００２８】
図７は、出力部３６に出力した選択画面の例を示す模式図である。作成した書類などのデータのうちどのページを印刷するかを指定する印刷範囲、及び印刷部数の選択を受け付けることができる。更に、印刷して出力すべき画像について、ＤＮＡインクの付加領域の選択を受け付けることができる。選択画面上で「なし」を指定した場合は、画像に対してＤＮＡインクを付加しないことを指示することとなり、また、「すべて」を指定した場合は、出力する画像の全ての部分にＤＮＡインクを付加することを指示することとなる。また、「ページ指定」を指定した場合は、複数ページに渡って記録される画像について、ＤＮＡを付加すべき任意のページを入力することで、どのページに対してＤＮＡインクを付加するかを指示することができる。更に、「領域指定」を指定した場合は、ＣＰＵ３１は、選択画面内に、出力すべき画像のプレビュー画像を出力し、マウス等の入力部３５を使用者が操作することにより画像の任意の領域を指定して、画像の中のＤＮＡインクを付加する領域を選択画面上で指定することができる。
【００２９】
前述の如くにして、ＣＰＵ３１は、ＲＡＭ３２にロードしたコンピュータプログラム５０に従って、ＤＮＡを付加する部分の選択を受け付け（Ｓ３）、次に、選択画面上で使用者が「ＯＫ」を指定することによる、入力部３５からの送信指示の受付を監視する（Ｓ４）。選択画面上で使用者が「ＯＫ」を指定して、入力部３５にて送信指示を受け付けた場合は（Ｓ４：ＹＥＳ）、ＣＰＵ３１は、ＲＡＭ３２にロードしたコンピュータプログラム５０に従って、画像を形成するために必要な画像データを含む画像の出力指示、及びＤＮＡを付加すべき画像の特定の部分を指定した指定情報を、通信部３７から通信ネットワークＮ１を介して画像記録装置１へ送信する（Ｓ５）。選択画面上で使用者が「キャンセル」を指定して、入力部３５にて送信指示を受け付けなかった場合は（Ｓ４：ＮＯ）、ＣＰＵ３１は、処理を終了する。
【００３０】
画像記録装置１は、通信部１３にて、ＰＣ３から画像の出力指示および指定情報を受信し（Ｓ６）、制御部１１は、ＲＯＭ１５が記憶している制御プログラムに従って、受信した指定情報が、ＤＮＡの付加を指示した情報を含んでいるか否かを判定する（Ｓ７）。受信した指定情報が、ＤＮＡの付加を指示した情報を含んでいなかった場合は（Ｓ７：ＮＯ）、制御部１１は、ＲＯＭ１５が記憶している制御プログラムに従って、画像形成部１８にて、受信した画像の出力指示に基づいて画像を形成し、画像を記録用紙に記録して出力する（Ｓ８）。制御部１１は、次に、ＲＯＭ１５が記憶している制御プログラムに従って、受信した画像の出力指示に係る画像の記録が終了したか否かを判定し（Ｓ９）、全て終了しておらずに記録していない画像が残っている場合は（Ｓ９：ＮＯ）、処理をステップＳ８へ戻し、画像の記録が全て終了している場合は（Ｓ９：ＹＥＳ）、処理を終了する。
【００３１】
ステップＳ７にて、受信した指定情報が、ＤＮＡの付加を指示した情報を含んでいた場合は（Ｓ７：ＹＥＳ）、制御部１１は、ＲＯＭ１５が記憶している制御プログラムに従って、ＤＮＡインクヘッド２２を走査のスタート位置に移動させる等して、ＤＮＡインクヘッド２２の動作準備を行う（Ｓ１０）。制御部１１は、次に、ＲＯＭ１５が記憶している制御プログラムに従って、ＤＮＡインクヘッド２２の準備が完了したか否かを判定し（Ｓ１１）、準備が完了していない場合は（Ｓ１１：ＮＯ）、所定時間後に判定を繰り返し、準備が完了していた場合は（Ｓ１１：ＹＥＳ）、受信した指定情報は、ＤＮＡを付加する領域を指定しているか否かを判定する（Ｓ１２）。指定情報が、ＤＮＡを付加する領域を指定していた場合は（Ｓ１２：ＹＥＳ）、制御部１１は、ＲＯＭ１５が記憶している制御プログラムに従って、画像形成部１８にて、受信した画像の出力指示に基づいて画像を形成し、画像を記録用紙に記録する（Ｓ１３）。制御部１１は、次に、ＲＯＭ１５が記憶している制御プログラムに従って、記録用紙に画像を記録した搬送中の記録物をＤＮＡインクヘッド２２にて走査し、指定情報によって指定された領域に対応する記録物の部分にＤＮＡインクヘッド２２からＤＮＡインクを吐出することで、指定情報によって指定された画像の領域にＤＮＡインクを付加し（Ｓ１４）、記録物を排出して画像を出力する。制御部１１は、次に、ＲＯＭ１５が記憶している制御プログラムに従って、受信した画像の出力指示に係る画像の記録が終了したか否かを判定し（Ｓ１５）、全て終了しておらずに記録していない画像が残っている場合は（Ｓ１５：ＮＯ）、処理をステップＳ１３へ戻し、画像の記録が全て終了している場合は（Ｓ１５：ＹＥＳ）、処理を終了する。
【００３２】
ステップＳ１２にて、受信した指定情報が、ＤＮＡの付加を指示した情報を含んでおらず、ＤＮＡを付加するページを指示した情報を含んでいる場合は（Ｓ１２：ＮＯ）、制御部１１は、次に、ＲＯＭ１５が記憶している制御プログラムに従って、次に記録する画像のページ数をカウントし（Ｓ１６）、次に記録する画像はＤＮＡを付加するページであるか否かを判定する（Ｓ１７）。次に記録する画像がＤＮＡを付加するページであった場合は（Ｓ１７：ＹＥＳ）、制御部１１は、ＲＯＭ１５が記憶している制御プログラムに従って、画像形成部１８にて、受信した画像の出力指示に基づいて画像を形成し、画像を記録用紙に記録する（Ｓ１８）。制御部１１は、次に、ＲＯＭ１５が記憶している制御プログラムに従って、ＤＮＡインクヘッド２２からＤＮＡインクを吐出することで、記録用紙に画像を記録した搬送中の記録物に対して、ＤＮＡインクを付加し（Ｓ１９）、画像の記録物を排出して画像を出力する。ステップＳ１７にて、次に記録する画像がＤＮＡを付加するページではなかった場合は（Ｓ１７：ＮＯ）、制御部１１は、ＲＯＭ１５が記憶している制御プログラムに従って、画像形成部１８にて、受信した画像の出力指示に基づいて画像を形成し、画像を記録用紙に記録して出力する（Ｓ２０）。ステップＳ１９又はステップＳ２０の処理が終了した後は、制御部１１は、ＲＯＭ１５が記憶している制御プログラムに従って、受信した画像の出力指示に係る画像の記録が終了したか否かを判定し（Ｓ２１）、全て終了しておらずに記録していない画像が残っている場合は（Ｓ２１：ＮＯ）、処理をステップＳ１６へ戻し、画像の記録が全て終了している場合は（Ｓ２１：ＹＥＳ）、処理を終了する。
【００３３】
図８は、本発明の画像記録システムによる画像の出力例を示す模式図である。ＤＮＡを付加する領域を指定した場合は、図８（ａ）中に斜線で示した領域のように、重要な情報が記載された領域など、指定された領域に不可視のＤＮＡインクが付加されて画像が出力される。また、ＤＮＡを付加するページを指定した場合は、図８（ｂ）中に斜線で示したページのように、複数ページの内、重要な情報が記載されたページ等、指定されたページに不可視のＤＮＡインクが付加されて画像が出力される。
【００３４】
以上詳述した如く、本発明においては、画像記録装置１が画像を記録する際に、画像毎に指定された部分にＤＮＡを付加する。一枚の記録担体に記録される画像について、重要な情報が記載されている領域を指定して、指定した領域に不可視のＤＮＡインクを付加することにより、重要な情報が記載された部分の原本証明が可能な書類を作成することができる。また、複数ページの記録担体に渡って記録される画像について、重要な情報が記載されている特定のページを指定して、指定したページに不可視のＤＮＡインクを付加することにより、重要な情報が記載されたページの原本証明が可能な書類を作成することができる。また、画像記録装置を用いて作成する書類に対して常にＤＮＡインクを付加する場合に比べて、本発明では、特殊なインクである不可視のＤＮＡインクの使用量が少ないため、コストを削減することができる。更に、書類に付加されて広く出回るＤＮＡインクの量が少なくなり、また、所在を管理できる書類のみに対してＤＮＡインクを付加する等してＤＮＡインクが出回る範囲を制限できるため、出回ったＤＮＡインクに含まれるＤＮＡを解析されて不正使用される危険性を小さくすることができる。
【００３５】
なお、本実施例においては、一枚の記録担体に記録される画像についてＤＮＡを付加する領域を指定する例と、複数ページの記録担体に渡って記録される画像についてＤＮＡを付加するページを指定する例とを示したが、ページを指定し、指定したページについて更にＤＮＡを付加する領域を指定する方法を用いてもよい。
【００３６】
また、本実施例においては、本発明に係る受付手段は、通信部１３であるとし、画像記録装置１は、ＤＮＡを付加する部分を指定した指定情報を、外部のＰＣ３から通信部１３にて受信する例を示したが、この例に限るものではない。本発明に係る受付手段は、操作部１２であるとして、画像記録装置１は、使用者が操作することにより操作部１２から指定情報を受け付ける形態であってもよい。
【００３７】
また、本実施例においては、本発明に係る付加手段は、不可視のＤＮＡインクを有し、インクジェットプリンタ装置のインクヘッドと同様の構成であるＤＮＡインクヘッド２２であるとしたが、この構成に限るものではない。本発明に係る付加手段は、例えば、ＤＮＡを混入させたトナーを画像の記録物に転写する構成であってもよく、また、記録用紙の搬送方向と略垂直な方向にＤＮＡインクを吐出する多数のノズルが並び、指定情報に従ってＤＮＡを付加する部分に対応するノズルからＤＮＡインクを吐出する構成であってもよい。
【図面の簡単な説明】
【００３８】
【図１】本発明の結果の例を示す概念図である。
【図２】本発明の画像記録装置の縦断面図である。
【図３】本発明の画像記録システム、及び画像記録装置の機能構成を示す機能ブロック図である。
【図４】本発明の送信装置であるＰＣの機能構成を示す機能ブロック図である。
【図５】本発明の画像記録システムが行う処理の手順を示すフローチャートである。
【図６】本発明の画像記録システムが行う処理の手順を示すフローチャートである。
【図７】出力部３６に出力した選択画面の例を示す模式図である。
【図８】本発明の画像記録システムによる画像の出力例を示す模式図である。
【符号の説明】
【００３９】
１  画像記録装置
１１  制御部
１２  操作部（受付手段）
１３  通信部（受付手段）
１８  画像形成部
２２  ＤＮＡインクヘッド（付加手段）
３  ＰＣ（送信装置）
３１  ＣＰＵ
３５  入力部
３６  出力部
３７  通信部
５  記録媒体
５０  コンピュータプログラム
Ｎ１  通信ネットワーク
【図１】
2005028820.tif 000003
【図２】
2005028820.tif 000004
【図３】
2005028820.tif 000005
【図４】
2005028820.tif 000006
【図５】
2005028820.tif 000007
【図６】
2005028820.tif 000008
【図７】
2005028820.tif 000009
【図８】
2005028820.tif 000010